(57)【特許請求の範囲】
【請求項１】
処置具の操作ワイヤとその先端に連結された先端処置部材とが挿通可能な内径を有する可撓性の乏しい部材からなる第１筒体と第２筒体とを、上記第１筒体が上記第２筒体の手元側端部から突没するように軸線方向に相対的にスライド自在に配置し、上記第２筒体の先端には、上記処置具の可撓性シースの基端に設けられた口金に着脱自在に接続可能な接続口金を設けると共に、上記第１筒体の手元側端部には、上記操作ワイヤを摘んだ指先を当て付けるための指当てを設けたことを特徴とする内視鏡用処置具の組立具。
【請求項２】
上記第１筒体が上記第２筒体の手元側端部から抜け出すのを阻止するストッパが設けられている請求項１記載の内視鏡用処置具の組立具。
【請求項３】
上記第１筒体を上記第２筒体の手元側端部から突出させる方向に付勢する付勢手段が設けられている請求項２記載の内視鏡用処置具の組立具。
【請求項４】
上記第１及び第２筒体が、内外二重の筒体である請求項１、２又は３記載の内視鏡用処置具の組立具。
【発明の詳細な説明】
【０００１】
【発明の属する技術分野】
この発明は、先端処置部材が連結された操作ワイヤと可撓性シースとを分離自在な内視鏡用処置具を組み立てるための内視鏡用処置具の組立具に関する。
【０００２】
【従来の技術】
一般に、内視鏡用処置具は、可撓性シース内に操作ワイヤが挿通された構成になっており、使用後には洗浄消毒等を行うために操作ワイヤと可撓性シースとが分離され、洗浄消毒等が終わったら、再び操作ワイヤを可撓性シースに通して組み立てられる。
【０００３】
【発明が解決しようとする課題】
例えば高周波スネアやバスケット型異物回収具あるいは爪型把持具等のような内視鏡用処置具は、操作ワイヤの先端に先端処置部が連結された構成になっている。
【０００４】
そのような処置具は、操作部に対して連結されるように操作ワイヤの基端部分に設けられた部分がシース内を通過できない太さになっているものが多く、操作ワイヤを可撓性シースに通すには、先端処置部を先頭にして可撓性シースに差し込む必要がある。
【０００５】
しかし、処置具の可撓性シースは、内径が１〜２ｍｍ程度で長さは１〜２ｍ程度と非常に細くて長いものである。そのため、可撓性シースに通される際に挿通抵抗が生じる先端処置部を先頭にして操作ワイヤを押し込んで行くと、手元で操作ワイヤを座屈させて使い物にならなくしてしまう場合が少なくない。
【０００６】
そこで本発明は、先端処置部を先頭にして操作ワイヤを可撓性シース内に押し込んでいく際に、操作ワイヤを座屈させることなく容易に押し込むことができる内視鏡用処置具の組立具を提供することを目的とする。
【０００７】
【課題を解決するための手段】
上記の目的を達成するため、本発明の内視鏡用処置具の組立具は、処置具の操作ワイヤとその先端に連結された先端処置部材とが挿通可能な内径を有する可撓性の乏しい部材からなる第１筒体と第２筒体とを、上記第１筒体が上記第２筒体の手元側端部から突没するように軸線方向に相対的にスライド自在に配置し、上記第２筒体の先端には、上記処置具の可撓性シースの基端に設けられた口金に着脱自在に接続可能な接続口金を設けると共に、上記第１筒体の手元側端部には、上記操作ワイヤを摘んだ指先を当て付けるための指当てを設けたことを特徴とする。
【０００８】
なお、上記第１筒体が上記第２筒体の手元側端部から抜け出すのを阻止するストッパが設けられていてもよく、上記第１筒体を上記第２筒体の手元側端部から突出させる方向に付勢する付勢手段が設けられていてもよい。
【０００９】
また、上記第１及び第２筒体が、内外二重の筒体であってもよい。
【００１０】
【発明の実施の形態】
図面を参照して本発明の実施の形態を説明する。
図１は、本発明の実施の形態の内視鏡用処置具の組立具を示しており、例えばステンレス鋼製パイプからなる外筒１と内筒２とが、内筒２が外筒１の手元側端部から突没する状態に相対的に軸線方向にスライド自在に配置されている。
【００１１】
外筒１及び内筒２の長さは例えば５〜１５ｃｍ程度であり、内筒２の内径寸法は、後述する処置具の可撓性シース１０の内径寸法と同程度の１〜２ｍｍの直径に形成されている。なお、外筒１及び内筒２共に、可撓性の乏しい部材であればどのような部材を用いてもよく、剛性のある部材で形成されるのが最も好ましい。
【００１２】
外筒１の先端には、処置具の基端に設けられた口金１１に対して、例えばいわゆるルアーロック式螺合結合により着脱自在に接続可能な接続口金３が固着されている。
【００１３】
外筒１から突出した内筒２の手元側端部には、オペレーターの指先を当て付けるための短筒状の指当て４が一体的に形成されている。この指当て４は、内筒２内に差し込まれる処置具の操作ワイヤ１２を摘む指先を当て付けるためのものであり、内筒２の端部自体であっても差し支えない。
【００１４】
外筒１内には、内周面に沿って圧縮コイルスプリング５が圧縮された状態で配置されており、それによって内筒２が外筒１の手元側端部から突出する方向に付勢されている。
【００１５】
ただし、外筒１と内筒２には、内筒２が外筒１内から抜け出してしまうのを阻止するように当接するストッパ６，７がプレス加工によって壁部を変形させて形成されている。
【００１６】
その結果、外力が加えられていない状態では、図１に示されるように、内筒２が外筒１の手元側端部から抜け出すより少し手前の位置でストッパ６，７どうしがぶつかった状態を維持する。
【００１７】
そして、図２に示されるように、処置具の操作ワイヤ１２を指先で摘んで内筒２に手元側から差し込み、その指先を内筒２の基端に設けられた指当て４に当て付けた状態で、矢印Ａで示されるように内筒２を圧縮コイルスプリング５の付勢力に抗して外筒１内へ押し込めば、矢印Ｂで示されるように、操作ワイヤ１２が奥へ押し込まれる。
【００１８】
その移動の間、押し込み力が加わって座屈しようとする操作ワイヤ１２の手元側部分は、内筒２内にあって側方へ撓むことができないので、先端側にかなりの挿通抵抗があっても、操作ワイヤ１２が手元側で座屈することはない。
【００１９】
図３は、内視鏡用処置具の一つである高周波スネアを示しており、例えば四フッ化エチレン樹脂チューブ等からなる可撓性シース１０は内径の直径が１〜２ｍｍ程度、長さが１〜２ｍ程度であり、その基端には、ルアーロック式の注射針口金と同形状の口金１１が取り付けられている。
【００２０】
操作ワイヤ１２は、例えばステンレス鋼細線を撚り合わせて形成された撚り線であり、その太さは例えば０．３〜１ｍｍ程度であり、先端には弾性ワイヤをループ状に曲げて形成されたスネアループ１３（先端処置部）が連結されている。
【００２１】
使用状態においては、操作ワイヤ１２が軸線方向に進退自在に可撓性シース１０内に挿通された状態にして、手元側操作部（図示せず）から操作ワイヤ１２を進退させることにより、可撓性シース１０の先端からスネアループ１３が突没する。
【００２２】
スネアループ１３は、可撓性シース１０内に引き込まれると窄まるが、自己の弾性によって常時広がろうとするので、スネアループ１３が可撓性シース１０内にある状態で操作ワイヤ１２を押し込み操作する際には、相当の挿通抵抗が生じる。
【００２３】
図３には、可撓性シース１０と操作ワイヤ１２とが分離された状態を示しており、本発明の内視鏡用処置具の組立具は、この状態からスネアループ１３を先頭にして可撓性シース１０内に操作ワイヤ１２を差し込む際に用いられる。
【００２４】
図４は、その準備状態を示しており、可撓性シース１０の基端の口金１１に外筒１の接続口金３を連結し、内筒２の手元側端部内からスネアループ１３を先頭にして操作ワイヤ１２を差し込む。なお、接続口金３を可撓性シース１０の口金１１に取り付ける前に、スネアループ１３を内筒２内にある程度差し込んでおいてもよい。
【００２５】
操作ワイヤ１２を指先で摘んで内筒２内に手元側から差し込み、スネアループ１３が可撓性シース１０部分に達したら、図５に示されるように、その指先を内筒２の基端に設けられた指当て４に当て付ける。
【００２６】
続いて、図６に矢印Ａで示されるように、操作ワイヤ１２と共に内筒２を外筒１内へ押し込めば、矢印Ｂで示されるように、操作ワイヤ１２が可撓性シース１０内の奥方向に押し込まれる。
【００２７】
その移動の際には、可撓性シース１０内で窄まっているスネアループ１３の反発力が挿通抵抗として作用するが、押し込み力が加わって座屈しようとする操作ワイヤ１２の手元側部分は、内筒２内にあって側方へ撓むことができないので、座屈が発生しない。
【００２８】
内筒２を外筒１内へ押し込んだら、指先を軽く開放して手前へ戻せば、圧縮コイルスプリング５のバネ力によって内筒２は元の状態に戻る。その際、操作ワイヤ１２は、長く蛇行した状態での可撓性シース１０の内面との間の摩擦抵抗及びスネアループ１３が可撓性シース１０内で広がろうする力によって保持され、元の位置には戻らない。そのようにして内筒２を押し込む動作を繰り返せば、操作ワイヤ１２が座屈することなく可撓性シース１０内に挿通される。
【００２９】
なお、本発明は上記実施の形態に限定されるものではなく、例えば圧縮コイルスプリング５は省略してもよく、その場合には、外筒１内に押し込まれた内筒２の手元側端部を指先で摘んで元の位置に戻せばよい。
【００３０】
また、内筒２と外筒１との関係を逆にして、内筒２が可撓性シース１０の口金１１に接続され、それに対して外筒１がスライド自在に突没するように構成してもよい。また、本発明の組立具が適用される内視鏡用処置具は高周波スネアに限らず各種処置具を対象とすることができる。
【００３１】
【発明の効果】
本発明によれば、処置具の操作ワイヤを指先で摘んで第１筒体に差し込み、その指先で操作ワイヤと共に第１筒体を第２筒体側へ押し込めば操作ワイヤが奥へ押し込まれ、その移動の間、押し込み力が加わって座屈しようとする操作ワイヤの手元側部分は、筒体内にあって側方へ撓むことができないので、処置具の先端処置部を先頭にして操作ワイヤを座屈させることなく可撓性シース内に容易に押し込んで組み立てることができる。
【図面の簡単な説明】
【図１】本発明の実施の形態の内視鏡用処置具の組立具の縦断面図である。
【図２】本発明の実施の形態の内視鏡用処置具の組立具の内筒が押し込まれた状態の縦断面図である。
【図３】本発明の内視鏡用処置具の組立具による組み立ての対象となる内視鏡用高周波スネアの分解された状態の正面図である。
【図４】本発明の内視鏡用処置具の組立具の使用準備状態の正面図である。
【図５】本発明の内視鏡用処置具の組立具の使用状態の正面図である。
【図６】本発明の内視鏡用処置具の組立具の使用状態の正面図である。
【符号の説明】
１  外筒（第２筒体）
２  内筒（第１筒体）
３  接続口金
４  指当て
５  圧縮コイルスプリング
６，７  ストッパ
１０  可撓性シース
１１  口金
１２  操作ワイヤ
１３  スネアループ（先端処置部）
【図１】
0004036993.tif 000002
【図２】
0004036993.tif 000003
【図３】
0004036993.tif 000004
【図４】
0004036993.tif 000005
【図５】
0004036993.tif 000006
【図６】
0004036993.tif 000007